(57)【要約】【課題】外乱光に起因するキャリブレーションの精度劣化を抑制可能な画像読取装置を提供する。【解決手段】スキャナ１では、対向配置された第一透明板３および第二透明板との間を移動可能な可動部６が、駆動部８によって副走査方向Ｘに往復移動される。光源と検出素子とを有する検出部５が、可動部６に設けられる。可動部６が基準位置まで移動されると、検出部５が第二透明板に設けられた基準部２００と対向する。可動部６には、検出部５を第二透明板側とは異なる方向から被覆する非透光性の壁部６１が設けられる。可動部６には、可動部６から副走査方向に突出する非透光性の遮光部６２が、少なくとも検出部５が設けられた範囲に亘って設けられる。【選択図】図５
2014168217.tif 000002
【特許請求の範囲】
【請求項１】
第一透明板と、
前記第一透明板と対向する面である第一面と、前記第一面とは反対側の面であって読み取りの対象となる原稿に接触可能な第二面とを有する第二透明板と、
前記第一透明板および前記第二透明板の対向する方向である対向方向と直交する主走査方向に延び、前記第一透明板と前記第二透明板との間を移動可能な可動部と、
前記可動部を前記第一面に沿って、前記対向方向と前記主走査方向とに直交する副走査方向に往復移動させることが可能な駆動部と、
前記可動部に設けられ、前記第二透明板に向けて光を照射可能な光源と、前記第二透明板側から入射する光を受光可能な検出素子とを有する検出部と、
前記第二透明板に設けられ、且つ、前記駆動部によって前記可動部が所定の基準位置まで移動された場合に前記検出部と対向する、キャリブレーション用の基準色を含む基準部と、
前記可動部に設けられ、前記検出部を前記第二透明板側とは異なる方向から被覆する非透光性の壁部と、
前記可動部から前記副走査方向に突出し、且つ、少なくとも前記検出部が設けられた範囲に亘って前記主走査方向に延びる、非透光性の遮光部と
を備えたことを特徴とする画像読取装置。
【請求項２】
前記遮光部は、前記第一透明板の端部と前記基準部とを結ぶ仮想的な線と交差する位置まで、前記基準位置にある前記可動部から前記副走査方向に突出することを特徴とする請求項１に記載の画像読取装置。
【請求項３】
前記遮光部は、前記可動部において最も前記第二透明板に近接する前記対向方向の位置に設けられたことを特徴とする請求項１または２に記載の画像読取装置。
【請求項４】
前記第一透明板と前記第二透明板とを対向させた状態で、前記第一透明板と前記第二透明板との周縁部を保持し、且つ、内部に前記可動部および前記駆動部が配置された箱状且つ非透光性の筐体を備え、
前記遮光部は、前記可動部から前記副走査方向のうちの一方向に突出し、
前記駆動部は、前記可動範囲のうちで前記一方向の端部である終端位置の近傍において、前記第二透明板から前記対向方向に離間して設けられた構成部品を有し、
前記遮光部は、前記対向方向において、前記第二透明板と前記構成部品との間に位置することを特徴とする請求項１から３のいずれかに記載の画像読取装置。
【発明の詳細な説明】
【技術分野】
【０００１】
本発明は、原稿からの反射光を検出する画像読取装置に関する。
【背景技術】
【０００２】
従来、原稿を画像データに変換するために、原稿からの反射光を検出して、原稿等を読み取る画像読取装置が知られている。一般的に、画像読取装置が原稿の読み取りを行う場合、原稿台に配置された原稿に光を照射し、その反射光を複数の撮像素子で構成されたセンサで検出する。しかし、個々の撮像素子の出力信号にはバラツキが生じるため、バラツキの影響を低減するために、キャリブレーションが行われる。
【０００３】
例えば、特許文献１に記載の画像読取装置では、原稿をセットするための原稿台の裏側に、副走査方向に延びる水平基準白板が設けられている。光学ユニットは、原稿の読み取り開始時に、所定の読み取り動作開始位置（ホームポジション）に移動する。ホームポジションに移動した光学ユニットは、上方に位置する水平基準白板に光を照射し、水平基準白板で反射された光を受光する。画像読取装置は、このように水平基準白板を読み取ることでキャリブレーションを行う。
【先行技術文献】
【特許文献】
【０００４】
【特許文献１】特開２００２−２３２６５３号公報
【発明の概要】
【発明が解決しようとする課題】
【０００５】
特許文献１に記載の画像読取装置では、原稿台に設置された原稿を読み取るために、原稿台がガラス等の透明体で構成されている。自然光が原稿台を透過して、画像読取装置の内部に入射する。この入射した自然光に起因して、ホームポジションで水平基準白板を読み取る光学ユニットが外乱光を受光する場合がある。この場合、キャリブレーションの精度が劣化して、原稿の読取品質が低下する可能性があった。
【０００６】
本発明の目的は、外乱光に起因するキャリブレーションの精度劣化を抑制可能な画像読取装置を提供することである。
【課題を解決するための手段】
【０００７】
本発明の一態様に係る画像読取装置は、第一透明板と、前記第一透明板と対向する面である第一面と、前記第一面とは反対側の面であって読み取りの対象となる原稿に接触可能な第二面とを有する第二透明板と、前記第一透明板および前記第二透明板の対向する方向である対向方向と直交する主走査方向に延び、前記第一透明板と前記第二透明板との間を移動可能な可動部と、前記可動部を前記第一面に沿って、前記対向方向と前記主走査方向とに直交する副走査方向に往復移動させることが可能な駆動部と、前記可動部に設けられ、前記第二透明板に向けて光を照射可能な光源と、前記第二透明板側から入射する光を受光可能な検出素子とを有する検出部と、前記第二透明板に設けられ、且つ、前記駆動部によって前記可動部が所定の基準位置まで移動された場合に前記検出部と対向する、キャリブレーション用の基準色を含む基準部と、前記可動部に設けられ、前記検出部を前記第二透明板側とは異なる方向から被覆する非透光性の壁部と、前記可動部から前記副走査方向に突出し、且つ、少なくとも前記検出部が設けられた範囲に亘って前記主走査方向に延びる、非透光性の遮光部とを備える。
【０００８】
上記画像読取装置では、対向配置された第一透明板および第二透明板との間を移動可能な可動部が、駆動部によって副走査方向に往復移動される。光源と検出素子とを有する検出部が、可動部に設けられる。可動部が基準位置まで移動されると、検出部が第二透明板に設けられた基準部と対向する。これにより、画像読取装置は、検出部によって基準部を読み取ることで、キャリブレーションを実行できる。
【０００９】
可動部には、検出部を第二透明板側とは異なる方向から被覆する非透光性の壁部が設けられる。壁部によって、第二透明板側とは異なる方向から検出部に自然光が照射されることが抑制される。さらに可動部には、可動部から副走査方向に突出する非透光性の遮光部が、少なくとも検出部が設けられた範囲に亘って設けられる。遮光部によって、画像読取装置の内部に入射した自然光が、第二透明板側から検出部に照射されることが抑制される。したがって、基準部を読み取ってキャリブレーションを実行するときに、外乱光に起因するキャリブレーションの精度劣化を抑制できる。
【図面の簡単な説明】
【００１０】
【図１】スキャナ１の斜め上方からみた全体斜視図である。
【図２】スキャナ１の斜め下方からみた全体斜視図である。
【図３】スキャナ１の平面図である。
【図４】第二透明板４を取り除いた、スキャナ１の斜め下方からみた全体斜視図である。
【図５】下カバー２Ｂおよび第二透明板４を取り除いた、スキャナ１の底面図である。
【図６】図３に示すＩ−Ｉ線矢視方向断面図である。
【図７】図６に示すスキャナ１の左端部の部分拡大図である。
【図８】図３に示すＩＩ−ＩＩ線矢視方向断面図である。
【図９】図３に示すＩＩＩ−ＩＩＩ線矢視方向断面図である。
【発明を実施するための形態】
【００１１】
本発明の実施形態について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００１２】
以下の説明では、図１の紙面の上側、下側、左上側、右下側、左下側、右上側を、それぞれスキャナ１の上側、下側、前側、後側、左側、右側と定義して説明する。後述する検出部５（図４参照）において複数の検出素子が配列された方向を、主走査方向Ｙという。検出部５が移動する方向を、副走査方向Ｘという。後述する第一透明板３（図１参照）および第二透明板４（図２参照）が対向する方向を、対向方向Ｚという。本実施形態では、主走査方向Ｙは前後方向、副走査方向Ｘは左右方向、対向方向Ｚは上下方向であり、各方向Ｘ、Ｙ、Ｚは互いに直交する。
【００１３】
図１〜図３を参照し、スキャナ１の概要を説明する。本実施形態では、ユーザが読み取りの対象となる原稿１００（図３参照）を目視で確認できる状態で、原稿１００から画像を読み取り可能である所謂シースルー型のスキャナ１を例示する。
【００１４】
図１に示すように、スキャナ１は、略直方体状の筐体２を有する。筐体２は、主走査方向Ｙが短手方向をなし、副走査方向Ｘが長手方向をなし、且つ対向方向Ｚの長さが小さい薄型板状の外観である。筐体２は、第一透明板３と第二透明板４とを対向させた状態で、第一透明板３と第二透明板４との周縁部を保持している。筐体２は、非透光性の樹脂カバー（上カバー２Ａおよび下カバー２Ｂ）で構成された箱状体である。筐体２の下面２２を構成する下カバー２Ｂの上側に、筐体２の上面２１を構成する上カバー２Ａが組み付けられる。上カバー２Ａの周壁と下カバー２Ｂの周壁とによって、筐体２の前面２３、後面２４、左面２５、右面２６が形成される。
【００１５】
上面２１の略中央には、筐体２の内部に貫通する開口２１３が設けられている（図４参照）。開口２１３は、主走査方向Ｙが短手方向をなし、且つ副走査方向Ｘが長手方向をなす長方形状である。開口２１３は、開口２１３よりも僅かに大きい略同形の第一透明板３によって塞がれている。第一透明板３は、開口２１３の輪郭に沿って形成された縁部２１２に固着された状態で、開口２１３を取り囲む板部２１１によって周縁部が保持されている。第一透明板３は、例えばアクリルで構成された透明な板状部材である。第一透明板３は、上方を向く外面３１と下方を向く内面３２（図６参照）とを有する。
【００１６】
板部２１１は、開口２１３の前側、後側、右側、左側にそれぞれ設けられた前板部２１１Ａ、後板部２１１Ｂ、右板部２１１Ｃ、左板部２１１Ｄを含む。前板部２１１Ａおよび後板部２１１Ｂは、それぞれ主走査方向Ｙの長さが等しい。左板部２１１Ｄは、右板部２１１Ｃよりも副走査方向Ｘの長さが大きい。つまり第一透明板３は、平面視で上面２１の中央よりもやや右寄りに配置されている。
【００１７】
図２に示すように、下面２２の略中央には、筐体２の内部に貫通する開口２２３が、開口２１３と対向して設けられている（図４参照）。開口２２３は、上面２１の開口２１３よりも副走査方向Ｘの長さおよび主走査方向Ｙの長さが大きい長方形状である。開口２２３は、主走査方向Ｙに対して、下面２２のほぼ全体に亘って形成されている。開口２２３は、開口２２３よりも僅かに大きい略同形の第二透明板４によって塞がれている。第二透明板４は、開口２２３の輪郭に沿って形成された縁部２２２に固着された状態で、開口２２３を取り囲む板部２２１によって周縁部が保持されている。
【００１８】
第二透明板４は、例えばアクリルで構成された透明な板状部材である。第二透明板４は、下方を向く外面４１と、上方を向く内面４２（図６参照）とを有する。内面４２は、第一透明板３の内面３２と対向する面である。外面４１は、内面４２とは反対側の面であって読み取りの対象となる原稿１００（図３参照）に接触可能である。
【００１９】
板部２２１は、開口２２３の右側および左側にそれぞれ設けられた右板部２２１Ａおよび左板部２２１Ｂを含む。右板部２２１Ａおよび左板部２２１Ｂは、それぞれ上面２１の右板部２１１Ｃおよび左板部２１１Ｄよりも、副走査方向Ｘの長さが小さい。つまり第二透明板４は、底面視で第一透明板３の全体を含むように、下面２２のほぼ全体に配置されている。第二透明板４には、後述するキャリブレーション用の基準部２００が設けられている。
【００２０】
ユーザは、原稿１００（図３参照）の上にスキャナ１を配置して読み取り（スキャン）を行ったり、スキャナ１の下側に原稿１００を配置して読み取りを行なったりすることができる。図３に示す例では、スキャナ１の下側に配置された原稿１００の一部が、第一透明板３および第二透明板４を介して、スキャナ１の上方に露出している。ユーザはスキャナ１の上方から、原稿１００のうちで開口２１３から目視可能な範囲を、スキャナ１の読取範囲として把握できる。
【００２１】
図４〜図９を参照して、筐体２の内部構造を説明する。理解を容易にするために、図４は第二透明板４を取り除いて図示している。図５は、下カバー２Ｂおよび第二透明板４を取り除いて図示し、且つ、基準部２００を仮想線で図示している。図４および図５に示すように、筐体２の内部には、可動部６、検出部５、駆動部８等が設けられている。
【００２２】
可動部６を説明する。図５〜図７に示すように、可動部６は、筐体２の内部空間で第一透明板３と第二透明板４との間を移動可能な可動体であり、壁部６１、遮光部６２、ガイド体６３を有する。壁部６１は、検出部５を第二透明板４側（本実施形態では、下側）とは異なる方向から被覆する非透光性の板状部であり、少なくとも検出部５が設けられた範囲に亘って主走査方向Ｙに延びる。本実施形態の壁部６１は、上壁６１Ａ、左壁６１Ｂ、右壁６１Ｃから構成される。上壁６１Ａ、左壁６１Ｂ、右壁６１Ｃは、筐体２の内部において、前面２３と後面２４との間を主走査方向Ｙに延びる長方形状である。
【００２３】
上壁６１Ａは、第一透明板３および第二透明板４の略中間にある対向方向Ｚの位置に設けられ、且つ、第一透明板３および第二透明板４と平行に副走査方向Ｘに延びる。上壁６１Ａの副走査方向Ｘの長さは、検出部５の副走査方向Ｘの長さよりも若干大きい。左壁６１Ｂおよび右壁６１Ｃは、それぞれ、上壁６１Ａの左辺および右辺に沿って設けられ、且つ、上壁６１Ａから第二透明板４側（本実施形態では、下側）に突出する。左壁６１Ｂおよび右壁６１Ｃは、第二透明板４の内面４２の若干上側まで延びている。上壁６１Ａ、左壁６１Ｂ、右壁６１Ｃで形成される凹部６４に、検出部５が収容される。
【００２４】
遮光部６２は、可動部６から副走査方向Ｘに突出し、且つ、少なくとも検出部５が設けられた範囲に亘って主走査方向Ｙに延びる、非透光性の板状部材である。遮光部６２は、可動部６において最も第二透明板４に近接する対向方向Ｚの位置に設けられる。本実施形態の遮光部６２は、右壁６１Ｃの下端から右方向（図７では、左方向）に向けて、第二透明板４の内面４２に沿って突出する鍔状の部位である。遮光部６２の主走査方向Ｙの長さは、第二透明板４の主走査方向Ｙの長さと略同一である。
【００２５】
上壁６１Ａの後方側端部の上面に、左右一対のガイド体６３（後側ガイド体６３）が支持されている。図示しないが、上壁６１Ａの前方側端部の上面に、副走査方向Ｘに延びる楔形状のガイド体６３（前側ガイド体６３）が支持されている。
【００２６】
図５および図８に示すように、前板部２１１Ａの下面には、副走査方向Ｘに延びる溝状のガイドレール７Ａが設けられる。前側ガイド体６３は、ガイドレール７Ａに沿って副走査方向Ｘに移動可能である。後板部２１１Ｂの下面には、副走査方向Ｘに延びる溝状のガイドレール７Ｂが設けられる。左右一対の後側ガイド体６３は、ガイドレール７Ｂに沿って副走査方向Ｘに移動可能である。これにより可動部６は、ガイドレール７Ａ、７Ｂに沿って、後述の検出部５を支持しながら第一透明板３および第二透明板４の間を副走査方向Ｘに往復移動可能である。
【００２７】
検出部５を説明する。図４および図５に示すように、可動部６の凹部６４（図７参照）の内部では、第二透明板４の内面４２と対向するように検出部５が設けられている。検出部５は、主走査方向Ｙに延びる箱状体であり、図示しない光源および複数の検出素子が内部に収容されている。光源は、第二透明板４に向けて検出光を照射可能である。複数の検出素子は、第二透明板４側（本実施形態では、下側）から入射する光を受光可能である。
【００２８】
一例として、検出部５は、ＣＩＳ（Ｃｏｎｔａｃｔ  Ｉｍａｇｅ  Ｓｅｎｓｏｒ）方式の読取センサである。検出部５の主走査方向Ｙの長さは、第二透明板４の主走査方向Ｙの長さと略同一である。複数の検出素子は、主走査方向Ｙに等間隔で並んで配置されている。光源は、複数の検出素子に隣接した位置に配置されている。光源が検出光を照射した場合、複数の検出素子は検出光の反射光を受光する。
【００２９】
本実施形態では、後述する可動部６の移動制御および検出部５の読取制御等は、スキャナ１に設けられたＣＰＵ等の制御回路（図示外）によって行われる。左板部２１１Ｄおよび後板部２１１Ｂの各下面に沿って延びるハーネス９０の一端側が、制御回路に接続されている。ハーネス９０の他端側は、検出部５の後端部に接続されている。検出部５の光源および複数の検出素子に対する電源供給および電気通信は、ハーネス９０を介して実行される。
【００３０】
検出部５の主走査方向Ｙの両端部には、第二透明板４の内面４２と接触する樹脂製の摺動突起５１が設けられている。詳細には、検出部５の前端部の下面に、若干下方に突出する左右一対の摺動突起５１（前側摺動突起５１）が設けられている。検出部５の後端部の下面に、若干下方に突出する左右一対の摺動突起５１（後側摺動突起５１）が設けられている。
【００３１】
検出部５は、凹部６４の内部に設けられた付勢バネ（図示外）によって、下側に付勢されている。この付勢によって、左右一対の前側摺動突起５１は、下面２２の開口２２３の前縁部で第二透明板４の内面４２に接触する。同様に、左右一対の後側摺動突起５１は、下面２２の開口２２３の後縁部で第二透明板４の内面４２に接触する。光源および複数の検出素子は、第二透明板４の内面４２に対して若干離間した位置に保持される。
【００３２】
可動部６が副走査方向Ｘに移動するのに伴って、前側摺動突起５１および後側摺動突起５１は第二透明板４の内面４２に沿って副走査方向Ｘに摺動する。これにより検出部５は、第二透明板４の内面４２に沿って光源および複数の検出素子を副走査方向Ｘに移動させて、原稿１００（図３参照）および基準部２００の読み取りを実行できる。
【００３３】
駆動部８を説明する。図５および図８に示すように、駆動部８は、ベルト８０、一対のプーリ８１、ベルト保持部８２、ベルト駆動部８３等を有する。ベルト８０は、上面２１の前板部２１１Ａの下面側で副走査方向Ｘに延びるように配置され、且つ、可動部６の前端側に連結されている（図９参照）。一対のプーリ８１のうち、右側のプーリ８１は右板部２１１Ｃの下面の前端部に立設されており、図示しない左側のプーリ８１は左板部２１１Ｄの下面の前端部に立設されている。一対のプーリ８１は、対向方向Ｚを中心に回転自在であり、ベルト８０が副走査方向Ｘに架け渡されている。
【００３４】
右側のプーリ８１は、右板部２１１Ｃの下面に設けられたベルト保持部８２で保持されている。ベルト保持部８２は、ベルト８０にテンションを付与する。図示しない左側のプーリ８１は、左板部２１１Ｄの下面に設けられたベルト駆動部８３で保持されている。ベルト駆動部８３は、左側のプーリ８１を回転駆動するモータ（図示外）を有する。ベルト駆動部８３が左側のプーリ８１を回転駆動することで、ベルト８０が筐体２の内部において可動部６を副走査方向Ｘに往復移動させる。ベルト８０によって移動される可動部６は、ガイドレール７Ａ、７Ｂによって副走査方向Ｘに案内される。
【００３５】
スキャナ１は、スキャナ１の起動時または終了時に、駆動部８を制御して可動部６を初期位置に移動させる。初期位置は、可動部６の可動範囲の左端部である。スキャナ１は、原稿１００の読み取り開始が指示されると、駆動部８を制御して可動部６を右方向に若干移動させて、可動部６を基準位置（図５に示す可動部６の位置）まで移動させる。基準位置は、キャリブレーションの実行時の基準となる、可動部６が基準部２００と対向する位置である。
【００３６】
図５〜図７に示すように、第二透明板４の内面４２には、基準部２００が設けられている。基準部２００は、第二透明板４の前後両端に亘って主走査方向Ｙに延び、且つ、副走査方向Ｘの長さが小さいシートである。基準部２００は、第二透明板４の内面４２の左端部よりも若干右側に設けられ、且つ、底面視で上面２１の開口２１３よりも左側に設けられている。したがって、図３に示すように、スキャナ１を上方から目視しても、ユーザは基準部２００を認識することはできない。
【００３７】
基準部２００は、キャリブレーションを行うための基準色（例えば、白）の領域である。スキャナ１は、検出部５から基準部２００を読み取ることで、公知のキャリブレーション手法によって複数の検出素子の色レベルを補正する。その後、スキャナ１は、可動部６を副走査方向Ｘに往復移動させながら、検出部５によって原稿１００（図３参照）から画像を読み取る。
【００３８】
図８および図９に示すように、可動部６の可動範囲の右端部は、終端位置である。言い換えると終端位置は、可動部６の可動範囲のうちで遮光部６２が突出する方向（本実施形態では、右方向）の端部である。先述のベルト保持部８２は、終端位置の近傍において、第二透明板４から対向方向Ｚ（本実施形態では、上方向）に離間して設けられている。ベルト保持部８２と第二透明板４との間に形成される空間が、収容部８９である。可動部６が終端位置まで移動すると、遮光部６２は収容部８９の内部に進入する。これにより、筐体２の副走査方向Ｘの長さを抑制しつつ、可動部６の可動範囲（つまり、検出部５の読取可能範囲）をより広く確保することができる。
【００３９】
図６および図７を参照して、スキャナ１内の外乱光と、遮光部６２との関係を説明する。図６および図７において、位置Ｐ１は、基準部２００からの副走査方向Ｘの距離が最も大きい、第一透明板３の端部である。位置Ｐ２は、位置Ｐ１からの副走査方向Ｘの距離が最も小さい、基準部２００の端部である。線Ｌは、第一透明板３の位置Ｐ１と基準部２００の位置Ｐ２とを結ぶ仮想的な線である。
【００４０】
第一透明板３を介して筐体２の内部に入射する自然光（具体的には、発光素子以外の光源から発せられた光）は、上記のキャリブレーションの実行時に、検出部５による基準部２００の読取精度を劣化させる外乱光として働くおそれがある。特に線Ｌに沿って照射される自然光は、基準位置にある可動部６の壁部６１と第二透明板４の内面４２との隙間に進入しやすい。壁部６１と第二透明板４との隙間に進入した自然光は、基準部２００で反射して、検出部５に対して第二透明板４側から照射される。基準部２００で反射した自然光が複数の検出素子で受光されると、検出部５による基準部２００の読取精度が劣化するおそれがある。
【００４１】
本実施形態では、可動部６が基準位置に移動した状態では、第二透明板４側とは異なる方向から検出部５に自然光が照射されることが、非透光性の壁部６１によって抑制される。さらに、基準位置にある可動部６の壁部６１と第二透明板４の内面４２との隙間に、筐体２の内部に入射した自然光が進入することが、非透光性の遮光部６２によって抑制される。その結果、自然光が基準部２００に照射されることが抑制され、さらに自然光が第二透明板４側から検出部５に照射されることが抑制される。これによりスキャナ１では、基準部２００を読み取ってキャリブレーションを実行するときに、外乱光に起因するキャリブレーションの精度劣化を抑制できる。
【００４２】
遮光部６２は、基準位置にある可動部６から線Ｌと交差する位置まで、副走査方向Ｘに突出している。したがって、線Ｌに沿って進入する自然光を遮断して、基準部２００を読み取る検出部５に対する外乱光の影響をより確実に排除できる。さらに、遮光部６２は、可動部６において最も第二透明板４に近接する対向方向Ｚの位置に設けられる。したがって、遮光部６２の突出高さ（副走査方向Ｘの長さ）を抑制しつつ、基準位置にある可動部６の遮光部６２を線Ｌと交差させることができる。
【００４３】
このように、遮光部６２によって外乱光を遮光する構成は、例えば大型化した可動部６が有する壁部６１によって外乱光を遮光する場合と比較して、以下の利点がある。可動部６の大型化は、可動部６の重量増加を伴うため、可動部６の搬送に必要な電力量が増大する。さらに、可動部６の大型化および重量増加は、可動部６の搬送状態を不安定にするため、検出部５の読取品質を劣化させるおそれがある。その点、遮光部６２は可動部６の大型化を伴わず、且つ軽量な板状部材であるため、可動部６を効率的且つ安定的に搬送することが可能となる。
【００４４】
以上説明したように、本実施形態のスキャナ１では、対向配置された第一透明板３および第二透明板４との間を移動可能な可動部６が、駆動部８によって副走査方向Ｘに往復移動される。光源と検出素子とを有する検出部５が、可動部６に設けられる。可動部６が基準位置まで移動されると、検出部５が第二透明板４に設けられた基準部２００と対向する。これにより、スキャナ１は、検出部５によって基準部２００を読み取ることで、キャリブレーションを実行できる。
【００４５】
可動部６には、検出部５を第二透明板４側とは異なる方向から被覆する非透光性の壁部６１が設けられる。壁部６１によって、第二透明板４側とは異なる方向から検出部５に自然光が照射されることが抑制される。さらに可動部６には、可動部６から副走査方向に突出する非透光性の遮光部６２が、少なくとも検出部５が設けられた範囲に亘って設けられる。遮光部６２によって、筐体２の内部に入射した自然光が、第二透明板４側から検出部５に照射されることが抑制される。したがって、基準部２００を読み取ってキャリブレーションを実行するときに、外乱光に起因するキャリブレーションの精度劣化を抑制できる。
【００４６】
上記実施形態において、スキャナ１が本発明の「画像読取装置」に相当する。ベルト保持部８２が、本発明の「構成部品」に相当する。本発明は上記実施形態に限定されるものではなく、発明の要旨を変更しない範囲での変更が可能である。例えば、本発明の「画像読取装置」は、スキャナ１に限定されず、コピー機能やスキャナ機能を有した複合機等であってもよい。第一透明板３および第二透明板４の材料は、アクリルに限定されず、他の材料（例えば、ガラスやポリカーボネート等）でもよい。
【００４７】
遮光部６２の主走査方向Ｙの長さは、検出部５が設けられた範囲（つまり、検出部５が読み取り可能な主走査方向Ｙの長さ）以上であればよい。遮光部６２の副走査方向Ｘの長さ（つまり、遮光部６２の突出幅）は、製造者または設計者が自由に変更可能であるが、基準位置にある可動部６の遮光部６２が線Ｌと交差する長さであることが好適である。遮光部６２の対向方向Ｚの位置は、製造者または設計者が自由に変更可能であるが、可動部６において最も第二透明板４に近接する位置であることが好適である。
【００４８】
上記実施形態では、遮光部６２は可動部６の可動範囲の終端位置側（右方向）に向けて突出しているが、遮光部６２は副走査方向Ｘに突出していればよい。例えば、遮光部６２は、可動部６の可動範囲の初期位置側（左方向）に向けて突出していてもよい。また、可動部６の副走査方向Ｘの両側に、それぞれ副走査方向Ｘの一方側および他方側に突出する一対の遮光部６２を設けてもよい。
【００４９】
基準部２００は、少なくともキャリブレーション用の基準色を有していればよい。キャリブレーション用の基準色は、白色に限定されず、他の色でもよい。基準部２００の位置は、第二透明板４の内面４２に限定されず、第二透明板４の外面４１や、第二透明板４の外面４１または内面４２に形成された凹部の内部でもよい。基準部２００の主走査方向Ｙの長さは、検出部５が読み取り可能な主走査方向Ｙの長さ以上であればよい。
【００５０】
本発明の「構成部品」は、ベルト保持部８２に限定されず、終端位置の近傍において第二透明板４から対向方向Ｚに離間して設けられ、且つ、ベルト８０に駆動力を付与するベルト駆動部８３であってもよい。本発明の「駆動部」は、可動部６をベルトによって搬送する機構に限定されず、可動部６を他の手法で駆動する機構（例えば、ラックアンドピニオン、ボールねじ、リードスクリュー、チェーン）でもよい。
【符号の説明】
【００５１】
１    スキャナ
２    筐体
３    第一透明板
４    第二透明板
５    検出部
６    可動部
７Ａ    ガイドレール
７Ｂ    ガイドレール
８    駆動部
６１    壁部
６２    遮光部
８０    ベルト
８２    ベルト保持部
１００    原稿
２００    基準部
【図１】
2014168217.tif 000003
【図２】
2014168217.tif 000004
【図３】
2014168217.tif 000005
【図４】
2014168217.tif 000006
【図５】
2014168217.tif 000007
【図６】
2014168217.tif 000008
【図７】
2014168217.tif 000009
【図８】
2014168217.tif 000010
【図９】
2014168217.tif 000011